(57)【特許請求の範囲】
【請求項１】
チケットの取得を希望する複数の取得希望者と、前記チケットの譲渡を希望する複数の譲渡希望者との間におけるチケット流通を仲介するチケット流通仲介装置であって、
前記取得希望者の通信端末から、前記チケットの取得を希望する旨の入力を受け付ける取得希望受付手段と、
前記取得希望受付手段が前記入力を受け付けたときに、当該入力を行った取得希望者を特定するための特定情報を格納する特定情報格納手段と、
前記特定情報格納手段に格納される前記特定情報に、前記取得希望者の属性に基づく順位を付与する順位付与手段と、
前記譲渡希望者の通信端末から、前記チケットの譲渡を希望する旨の入力を受け付ける譲渡希望受付手段と、
前記譲渡希望受付手段が前記入力を受信したときに、前記特定情報格納手段に格納されている前記特定情報のうち、最も高い順位が付与されている特定情報を選択して前記譲渡希望者の通信端末に出力する出力手段と、
前記出力手段によって前記譲渡希望者の通信端末への前記特定情報の出力がなされた後、前記特定情報格納手段から削除された当該特定情報を一定期間保存し、前記取得希望者の通信端末から前記特定情報の順位の回復を要求する旨の回復要求情報の送信がなされた場合に、この特定情報の順位を前記特定情報格納手段内で最も高い順位に回復させる回復処理手段とを備えたことを特徴とするチケット流通仲介装置。
【請求項２】
チケットの取得を希望する複数の取得希望者側の通信端末と、前記チケットの譲渡を希望する複数の譲渡希望者側の通信端末との間におけるチケット流通を仲介するチケット流通仲介装置を備えて構成されたチケット流通仲介システムであって、
前記チケット流通仲介装置は、
前記各取得希望者側の通信端末から前記チケットの取得を希望する旨の取得希望情報を受信する取得希望受信手段と、
前記取得希望受信手段が前記取得希望情報を受信したときに、当該取得希望情報を送信した取得希望者を特定するための特定情報を格納する特定情報格納手段と、
前記特定情報格納手段に格納される前記特定情報に、前記取得希望者の属性に基づく順位を付与する順位付与手段と、
前記譲渡希望者側の通信端末から前記チケットの譲渡を希望する旨の譲渡希望情報を受信する譲渡希望受信手段と、
前記譲渡希望受信手段が前記譲渡希望情報を受信したときに、前記特定情報格納手段に格納されている前記特定情報のうち、最も高い順位が付与されている特定情報を選択して前記譲渡希望者側の通信端末に送信する特定情報送信手段と、
前記出力手段によって前記譲渡希望者の通信端末への前記特定情報の出力がなされた後、前記特定情報格納手段から削除された当該特定情報を一定期間保存し、前記取得希望者の通信端末から前記特定情報の順位の回復を要求する旨の回復要求情報の送信がなされた場合に、この特定情報の順位を前記特定情報格納手段内で最も高い順位に回復させる回復処理手段とを備え、
前記取得希望者側の通信端末及び前記譲渡希望者側の通信端末は、
前記チケットの取得を希望する旨の取得希望情報を送信する取得希望送信手段と、
前記チケットの譲渡を希望する旨の譲渡希望情報を送信する譲渡希望送信手段と、
前記譲渡希望情報の送信に応じて前記チケット流通仲介装置から出力される特定情報を受信する特定情報受信手段と、
当該通信端末間で前記チケットの対価となる電子価値情報の交換を行う電子価値交換手段とを備えたことを特徴とするチケット流通仲介システム。
【請求項３】
前記チケット流通仲介装置は、
前記取得希望者側の通信端末から、前記特定情報の順位の照会を要求する旨の照会要求情報を受信する照会要求受信手段と、
前記照会要求受信手段が前記照会要求情報を受け付けたときに、前記特定情報格納手段に格納されている前記特定情報のうち、前記照会要求情報が示す特定情報の順位を照会する照会手段と、
前記照会手段が順位を照会した際、前記照会要求情報が示す特定情報が前記特定情報格納手段内に存在しなかった場合に、前記回復要求情報の送信を前記取得希望者の通信端末から受け付ける回復要求受付手段とを更に備え、
前記取得希望者側の通信端末及び前記譲渡希望者側の通信端末は、
前記照会要求情報を照会要求受信手段に送信する照会要求送信手段を更に備えたことを特徴とする請求項２記載のチケット流通仲介システム。
【請求項４】
前記照会要求送信手段は、当該通信端末がオフライン状態からオンライン状態に切り替わる度に前記照会要求情報を照会要求受信手段に送信することを特徴とする請求項３記載のチケット流通仲介システム。
【請求項５】
チケットの取得を希望する複数の取得希望者側の通信端末と、前記チケットの譲渡を希望する複数の譲渡希望者側の通信端末との間におけるチケット流通を仲介するためのチケット流通仲介方法であって、
取得希望受信手段が、前記各取得希望者側の通信端末から前記チケットの取得を希望する旨の取得希望情報を受信するステップと、
特定情報格納手段が、前記取得希望受信手段が前記取得希望情報を受信したときに、当該取得希望情報を送信した取得希望者を特定するための特定情報を格納するステップと、
順位付与手段が、前記取得希望者の属性に基づいて、前記特定情報格納手段に格納される前記特定情報に順位を付与するステップと、
譲渡希望受信手段が、前記譲渡希望者側の通信端末から前記チケットの譲渡を希望する旨の譲渡希望情報を受信するステップと、
特定情報送信手段が、前記譲渡希望受信手段が前記譲渡希望情報を受信したときに、前記特定情報格納手段に格納されている前記特定情報のうち、最も高い順位が付与されている特定情報を選択して前記譲渡希望者側の通信端末に送信するステップと、
回復処理手段が、前記出力手段によって前記譲渡希望者の通信端末への前記特定情報の出力がなされた後、前記特定情報格納手段から削除された当該特定情報を一定期間保存し、前記取得希望者の通信端末から前記特定情報の順位の回復を要求する旨の回復要求情報の送信がなされた場合に、この特定情報の順位を前記特定情報格納手段内で最も高い順位に回復させるステップとを備えたことを特徴とするチケット流通仲介方法。
【発明の詳細な説明】
【技術分野】
【０００１】
本発明は、チケットの取得を希望する複数の取得希望者と、前記チケットの譲渡を希望する複数の譲渡希望者との間におけるチケット流通を仲介するチケット流通仲介装置、通信端末、チケット流通仲介システム、及びチケット流通仲介方法に関する。
【背景技術】
【０００２】
この種の分野に関連する技術として、例えば特許文献１記載のチケットトレードシステムがある。この従来のチケットトレードシステムでは、イベントチケットを余分に所有する譲渡希望者と、このイベントチケットを入手したいと考えている取得希望者との間で、チケットの種類や金額といったトレード情報を仲介し、トレードが成立した場合にその旨が取得希望者に通知されるようになっている。
【特許文献１】特開２００３−３４６０１２号公報
【発明の開示】
【発明が解決しようとする課題】
【０００３】
しかしながら、上述した従来のチケットトレードシステムでは、単にチケットの需要と供給とのマッチングがなされているに過ぎないため、余剰するチケットは、例えば先着順によって譲渡希望者と取得希望者との間で取引される。しかしながら、単に先着順のような取引では、例えばチケット発行者の会員・非会員が同じように扱われる等、取引者の事情が考慮されないという問題があった。
【０００４】
本発明は上記課題の解決のためになされたものであり、取引者の事情を考慮したチケット取引を行わせることが可能なチケット流通仲介装置、通信端末、チケット流通仲介システム、及びチケット流通仲介方法を提供することを目的とする。
【課題を解決するための手段】
【０００５】
上記課題の解決のため、本発明に係るチケット流通仲介装置は、チケットの取得を希望する複数の取得希望者と、チケットの譲渡を希望する複数の譲渡希望者との間におけるチケット流通を仲介するチケット流通仲介装置であって、取得希望者から、チケットの取得を希望する旨の入力を受け付ける取得希望受付手段と、取得希望受付手段が入力を受け付けたときに、当該入力を行った取得希望者を特定するための特定情報を格納する特定情報格納手段と、特定情報格納手段に格納される特定情報に、取得希望者の属性に基づく順位を付与する順位付与手段と、譲渡希望者から、チケットの譲渡を希望する旨の入力を受け付ける譲渡希望受付手段と、譲渡希望受付手段が入力を受信したときに、特定情報格納手段に格納されている特定情報のうち、最も高い順位が付与されている特定情報を選択して譲渡希望者側に出力する出力手段を備えたことを特徴としている。
【０００６】
このチケット流通仲介装置では、取得希望者からチケットの取得を希望する旨の入力を受け付けると、当該入力を行った取得希望者を特定するための特定情報に、取得希望者の属性に基づく順位が付与される。譲渡希望者からチケットの譲渡を希望する旨の入力を受け付けると、最も高い順位が付与されている特定情報が譲渡希望者側に出力される。そして、譲渡希望者は、受け取った特定情報によって特定される取得希望者と交渉して、チケットの取引を行うことができる。このように、本発明に係るチケット流通仲介装置では、例えば取得希望者がチケット発行者の会員であるか否かといった属性に基づいて特定情報の順位付けがなされるので、取引者の事情を考慮したチケット取引を行わせることが可能となる。また、このことは、チケットの取引の一方の当事者である取得希望者を装置側で管理させることを可能とし、当該チケットを発行した主催者側では、チケットの取引に間接的に関与することもできる。
【０００７】
本発明に係る通信端末は、上記チケット流通仲介装置を介してチケット流通を行うための通信端末であって、チケットの譲渡を希望する旨の譲渡希望情報をチケット流通仲介装置に送信する譲渡希望送信手段と、譲渡希望情報の送信に応じてチケット流通仲介装置から出力される特定情報を受信する特定情報受信手段と、取得希望者の通信端末との間でチケットの対価となる電子価値情報の交換を行う電子価値交換手段とを備えたことを特徴としている。
【０００８】
この通信端末では、チケットの譲渡を希望する旨の譲渡希望情報をチケット流通仲介装置に送信することができ、これに応じてチケット流通仲介装置から出力される特定情報を受信できる。そして、譲渡希望者は、受け取った特定情報によって特定される取得希望者と交渉し、チケットの対価となる電子価値情報を端末間で交換することにより、チケットの取引を行うことができる。
【０００９】
また、電子価値交換手段によって交換される電子価値情報に、当該交換に関する交換情報を付与する交換情報付与手段を備えたことが好ましい。この場合、例えば、交換情報として交換相手や交換額に関する情報を電子価値に付与することで、電子価値の流通履歴を作成することができる。このことは、電子価値の不正な使用を抑制し、チケット取引の安全性の確保を実現する。
【００１０】
また、電子価値情報の交換履歴を示す交換履歴情報を格納する交換履歴格納手段を更に備えたことが好ましい。このように、交換情報を履歴化することにより、電子価値の不正な使用を一層抑制し、チケット取引の安全性を一層確保できる。
【００１１】
本発明に係るチケット流通仲介システムは、チケットの取得を希望する複数の取得希望者側の通信端末と、チケットの譲渡を希望する複数の譲渡希望者側の通信端末との間におけるチケット流通を仲介するチケット流通仲介装置を備えて構成されたチケット流通仲介システムであって、チケット流通仲介装置は、各取得希望者側の通信端末からチケットの取得を希望する旨の取得希望情報を受信する取得希望受信手段と、取得希望受信手段が取得希望情報を受信したときに、当該取得希望情報を送信した取得希望者を特定するための特定情報を格納する特定情報格納手段と、特定情報格納手段に格納される特定情報に、取得希望者の属性に基づく順位を付与する順位付与手段と、譲渡希望者側の通信端末からチケットの譲渡を希望する旨の譲渡希望情報を受信する譲渡希望受信手段と、譲渡希望受信手段が譲渡希望情報を受信したときに、特定情報格納手段に格納されている特定情報のうち、最も高い順位が付与されている特定情報を選択して譲渡希望者側の通信端末に送信する特定情報送信手段とを備え、取得希望者側の通信端末及び譲渡希望者側の通信端末は、チケットの取得を希望する旨の取得希望情報を送信する取得希望送信手段と、チケットの譲渡を希望する旨の譲渡希望情報を送信する譲渡希望送信手段と、譲渡希望情報の送信に応じてチケット流通仲介装置から出力される特定情報を受信する特定情報受信手段と、当該通信端末間でチケットの対価となる電子価値情報の交換を行う電子価値交換手段とを備えたことを特徴としている。
【００１２】
このチケット流通仲介システムでは、取得希望者からチケットの取得を希望する旨の入力を受け付けると、当該入力を行った取得希望者を特定するための特定情報に、取得希望者の属性に基づく順位が付与される。譲渡希望者からチケットの譲渡を希望する旨の入力を受け付けると、最も高い順位が付与されている特定情報が譲渡希望者側に出力される。そして、譲渡希望者は、受け取った特定情報によって特定される取得希望者と交渉して、チケットの取引を行うことができる。このように、本発明に係るチケット流通仲介システムでは、例えば取得希望者がチケット発行者の会員であるか否かといった属性に基づいて特定情報の順位付けがなされるので、取引者の事情を考慮したチケット取引を行わせることが可能となる。また、このことは、チケットの取引の一方の当事者である取得希望者を装置側で管理させることを可能とし、当該チケットを発行した主催者側では、チケットの取引に間接的に関与することもできる。
【００１３】
また、チケット流通仲介装置は、取得希望者側の通信端末から、特定情報の順位の照会を要求する旨の照会要求情報を受信する照会要求受信手段と、照会要求受信手段が照会要求情報を受け付けたときに、特定情報格納手段に格納されている特定情報のうち、照会要求情報が示す特定情報の順位を照会する照会手段と、照会手段が順位を照会した際、照会要求情報が示す特定情報が特定情報格納手段内に存在しなかった場合に、取得希望者の通信端末から、特定情報の順位の回復を要求する旨の回復要求情報を受け付ける回復要求受付手段とを更に備え、取得希望者側の通信端末及び譲渡希望者側の通信端末は、照会要求情報を照会要求受信手段に送信する照会要求送信手段を更に備えたことが好ましい。この構成によれば、例えば取得希望者の通信端末がオフライン状態であったため、譲渡希望者と連絡を取れなかったにもかかわらず、当該取得希望者の特定情報が特定情報格納手段から削除されてしまったような場合に、取得希望者を救済することができる。
【００１４】
また、照会要求送信手段は、当該通信端末がオフライン状態からオンライン状態に切り替わる度に照会要求情報を照会要求受信手段に送信することが好ましい。これにより、通信端末経由でチケットの取引を行う場合の利便性を向上させることができる。
【００１５】
本発明に係るチケット流通仲介方法は、チケットの取得を希望する複数の取得希望者側の通信端末と、チケットの譲渡を希望する複数の譲渡希望者側の通信端末との間におけるチケット流通を仲介するためのチケット流通仲介方法であって、取得希望受信手段が、各取得希望者側の通信端末からチケットの取得を希望する旨の取得希望情報を受信するステップと、特定情報格納手段が、取得希望受信手段が取得希望情報を受信したときに、当該取得希望情報を送信した取得希望者を特定するための特定情報を格納するステップと、順位付与手段が、取得希望者の属性に基づいて、特定情報格納手段に格納される特定情報に順位を付与するステップと、譲渡希望受信手段が、譲渡希望者側の通信端末からチケットの譲渡を希望する旨の譲渡希望情報を受信するステップと、特定情報送信手段が、譲渡希望受信手段が譲渡希望情報を受信したときに、特定情報格納手段に格納されている特定情報のうち、最も高い順位が付与されている特定情報を選択して譲渡希望者側の通信端末に送信するステップとを備えたことを特徴としている。
【００１６】
このチケット流通仲介方法では、取得希望者からチケットの取得を希望する旨の入力を受け付けると、当該入力を行った取得希望者を特定するための特定情報に、取得希望者の属性に基づく順位が付与される。譲渡希望者からチケットの譲渡を希望する旨の入力を受け付けると、最も高い順位が付与されている特定情報が譲渡希望者側に出力される。そして、譲渡希望者は、受け取った特定情報によって特定される取得希望者と交渉して、チケットの取引を行うことができる。このように、本発明に係るチケット流通仲介方法では、例えば取得希望者がチケット発行者の会員であるか否かといった属性に基づいて特定情報の順位付けがなされるので、取引者の事情を考慮したチケット取引を行わせることが可能となる。また、このことは、チケットの取引の一方の当事者である取得希望者を装置側で管理させることを可能とし、当該チケットを発行した主催者側では、チケットの取引に間接的に関与することもできる。
【発明の効果】
【００１７】
以上説明したように、本発明に係るチケット流通仲介装置、通信端末、チケット流通仲介システム、及びチケット流通仲介方法によれば、取引者の事情を考慮したチケット取引を行わせることが可能となる。
【発明を実施するための最良の形態】
【００１８】
以下、図面を参照しながら、本発明に係るチケット流通仲介装置、通信端末、チケット流通仲介システム、及びチケット流通仲介方法の好適な実施形態について、詳細に説明する。
【００１９】
図１は、本発明に係るチケット流通仲介システムの一実施形態を示す構成図である。図１に示すように、チケット流通仲介システム１は、例えばコンサートやサッカー観戦といったイベントのチケットを発行した主催者が管理するシステムであり、チケットの取得を希望する取得希望者と、チケットの譲渡を希望する複数の譲渡希望者との間の個人間チケット流通を仲介するシステムである。このチケット流通仲介システム１は、チケット流通仲介装置１０と、チケットの取得希望者及び譲渡希望者がそれぞれ所有する通信端末２０，３０とによって構成され、これらは相互に情報通信可能に接続されている。以下、各構成要素について詳細に説明する。
【００２０】
チケット流通仲介装置１０は、物理的には、ＣＰＵ、メモリ、通信インタフェイス、ハードディスクといった格納部、ディスプレイといった表示部等を備えたコンピュータシステムである。このチケット流通仲介装置１０は、機能的な構成要素として、取得希望受信部１０１と、順位付与部１０２と、特定情報格納部１０３と、譲渡希望受信部１０４と、特定情報送信部１０５と、照会要求受信部１０６と、照会部１０７と、回復処理部１０８とを備えている。
【００２１】
取得希望受信部１０１は、取得希望者の通信端末２０からチケットの取得を希望する旨の取得希望情報を受信する部分である。この取得希望情報には、例えばＩＤ、氏名、住所など、取得希望者を特定するための特定情報が含まれている。特定情報には、取得希望者がイベント主催者の会員であるか否かを示す属性情報も含まれている。取得希望受信部１０１は、受け取った取得希望情報から特定情報を抽出して特定情報格納部１０３に出力する。また、取得希望受信部１０１は、順位付与部１０２に対して、特定情報格納部１０３に格納されている特定情報の順位付けを指示する順位付け指示情報を出力する。
【００２２】
順位付与部１０２は、特定情報格納部１０３に格納される特定情報に所定の順位を付与する部分である。順位付与部１０２による順位付けの一例を図２に示す。図２に示す例では、特定情報格納部１０３には、取得希望者の特定情報（ＩＤ「０００５」、氏名「○○○○」、住所「東京都○○区…」、会員証「有り」）が原則として先着順で格納されており、各特定情報にはそれぞれ１〜ｎの順位が付与されている。イベント主催者の会員でない取得希望者の特定情報（ＩＤ「００７８」、氏名「△△△△」、住所「○○県○○市…」、会員証「無し」）が新たに格納された場合、順位付与部１０２は、当該特定情報に最も低い順位ｎを付与する。
【００２３】
一方、図３に示すように、イベント主催者の会員である取得希望者の特定情報（ＩＤ「０１００」、氏名「××××」、住所「○○県○○市」、会員証「有り」）が新たに格納された場合、順位付与部１０２は、例えば当該特定情報に順位（ｎ−５）を付与する。すなわち、順位付与部１０２は、主催者の会員である取得希望者には、非会員である取得希望者よりも有利な条件で特定情報の順位を付与する。順位の付与が終了した後、順位付与部１０２は、取得希望者の通信端末２０に対して特定情報の格納が完了した旨の格納完了通知を送信する。
【００２４】
譲渡希望受信部１０４は、譲渡希望者の通信端末３０からチケットの譲渡を希望する旨の譲渡希望情報を受信する部分である。譲渡希望受信部１０４は受信した譲渡希望情報を特定情報送信部１０５に出力する。特定情報送信部１０５は、譲渡希望受信部１０４から譲渡希望情報を受け取る部分であり、特定情報格納部１０３に格納される特定情報の中から、最も高い順位が付与されている特定情報を譲渡希望者の通信端末３０に送信する部分である。なお、特定情報送信部１０５から譲渡希望者の通信端末３０に特定情報が送信されると、その特定情報は特定情報格納部１０３から削除される。そして、特定情報格納部１０３内に残る特定情報の順位は、それぞれ１つずつ繰り上げられる。また、特定情報送信部１０５から削除された特定情報は、回復処理部１０８に出力され、一定期間保存される。
【００２５】
照会要求受信部１０６は、取得希望者の通信端末２０から、特定情報の順位の照会を要求する旨の照会要求情報を受信する部分である。この照会要求受信部１０６は、受信した照会要求情報を照会部１０７に出力する。そして、照会要求情報の出力に応じて、照会部１０７から特定情報の順位を示す照会結果情報を受け取ると、この情報を取得希望者の通信端末２０に送信する。また、照会部１０７から当該特定情報が存在しなかった旨を示す照会結果情報を受け取った場合、照会要求受信部１０６は、この情報を取得希望者の通信端末２０に送信すると共に、回復処理部１０８に対して、後述する回復要求情報を受け付ける受付状態への移行を指示する受付指示情報を出力する。
【００２６】
照会部１０７は、照会要求受信部１０６から照会要求情報を受け付けたときに、特定情報格納部１０３に格納されている特定情報のうち、照会要求情報が示す特定情報の順位を照会する。そして、照会部１０７は、照会した特定情報の順位を示す照会結果情報を生成し、照会要求受信部１０６に出力する。また、照会部１０７は、照会すべき特定情報が特定情報格納部１０３内から既に削除されてしまっていた場合には、当該特定情報が存在しなかった旨を示す照会結果情報を生成し、照会要求受信部１０６に出力する。
【００２７】
回復処理部１０８は、取得希望者の通信端末２０から、特定情報の順位の回復を要求する旨の回復要求情報を受け付ける部分である。より具体的には、回復処理部１０８は、特定情報送信部１０５から削除された特定情報を受け取って一定期間保存しており、照会要求受信部１０６から受付指示情報を受け取ると、取得希望者の通信端末２０からの回復要求情報の送信を受け付ける受付状態に一定期間移行する。この移行状態において、取得希望者の通信端末２０から回復要求情報を受信すると、この回復要求情報が示す特定情報を特定情報格納部１０３内で最も高い順位に回復させる。そして、回復処理部１０８は、特定情報の順位が回復したことを示す回復通知を取得希望者の通信端末２０に送信する。
【００２８】
次に、取得希望者の通信端末２０及び譲渡希望者の通信端末３０について説明する。
【００２９】
取得希望者の通信端末２０及び譲渡希望者の通信端末３０は、例えば携帯電話機であり、物理的には、ＣＰＵ（中央処理装置）、メモリといった記憶装置、プッシュボタンといった入力装置、ディスプレイといった表示装置等を有している。また、通常の通話機能に加え、ＷＥＢページに接続して閲覧する機能や電子メール送信機能等を含む各種データ通信機能等を有している。
【００３０】
取得希望者の通信端末２０は、機能的な構成要素として、取得希望送信部２０１と、照会要求送信部２０２と、回復要求送信部２０３と、電子価値情報交換部２０４とを備えている。
【００３１】
取得希望送信部２０１は、チケットの取得を希望する旨の取得希望情報をチケット流通仲介装置１０に送信する部分である。取得希望送信部２０１は、取得希望情報の送信後、チケット流通仲介装置１０から特定情報の完了通知を受け取る。
【００３２】
照会要求送信部２０２は、特定情報の順位の照会を要求する旨の照会要求情報をチケット流通仲介装置１０に送信する部分である。具体的には、照会要求送信部２０２は、チケット流通仲介装置１０から格納完了通知を受け取った後、当該通信端末２０がオフライン状態からオンライン状態に切り替わる度に、チケット流通仲介装置１０に対して照会要求情報を送信する。そして、照会要求送信部２０２は、照会要求情報の送信に応じてチケット流通仲介装置１０から送信される照会結果情報を受信する。
【００３３】
回復要求送信部２０３は、チケット流通仲介装置１０に対して、特定情報の順位の回復を要求する旨の回復要求情報を送信する部分である。回復要求送信部２０３は、回復要求情報の送信に応じてチケット流通仲介装置１０から送信される回復通知を受信する。
【００３４】
一方、譲渡希望者の通信端末３０は、機能的な構成要素として、譲渡希望送信部３０１と、特定情報受信部３０２と、電子価値情報交換部３０３と、交換情報付与部３０４と、交換履歴格納部３０５とを備えている。
【００３５】
譲渡希望送信部３０１は、チケットの譲渡を希望する旨の譲渡希望情報を前記チケット流通仲介装置に送信する部分である。特定情報受信部３０２は、チケット流通仲介装置１０から特定情報を受信する部分である。また、電子価値情報交換部３０３は、取得希望者の通信端末２０における電子価値情報交換部２０４との間で、チケットの対価となる電子価値情報の交換を行う部分である。
【００３６】
交換情報付与部３０４は、電子価値情報の交換にあたり、取得希望者の通信端末２０から受け取った電子価値情報に、取引相手や取引額などを示す交換情報を付与する部分である。交換情報付与部３０４は、交換情報を付与した電子価値情報を交換履歴格納部３０５に格納する。この交換履歴格納部３０５に格納される情報の一例を図４に示す。図４に示す例では、電子価値情報の交換履歴を示す交換履歴情報として、取引年月日「○○年○月○日」、取引先氏名「○○○○」、取引先住所「東京都○○区…」、取引金額「△△△△円」といった情報がリスト化されて格納されている。
【００３７】
続いて、上述した構成を有するチケット流通仲介システム１の動作について、図５に示すフローチャートを参照しながら説明する。
【００３８】
図５に示すように、まず取得希望者の通信端末２０から取得希望情報の送信がなされると（ステップＳ０１）、チケット流通仲介装置１０において、取得希望情報に含まれる特定情報が特定情報格納部１０３に格納される（ステップＳ０２）。格納された特定情報には、順位付与部１０２によって順位が付与された後（ステップＳ０３）、取得希望者の通信端末２０に格納完了通知がなされる（ステップＳ０４）。
【００３９】
次に、譲渡希望者の通信端末３０から譲渡希望情報が送信されると（ステップＳ０５）、特定情報送信部１０５によって特定情報格納部１０３の参照がなされ（ステップＳ０６）、最も順位の高い特定情報が譲渡希望者の通信端末３０に送信される（ステップＳ０７）。このとき、送信された特定情報は、特定情報格納部１０３から削除される（ステップＳ０８）。特定情報を得た譲渡希望者は、この特定情報から取得希望者を特定し、例えば電話などによる問い合わせにより、チケット取引の交渉を行うことができる（ステップＳ０９）。
【００４０】
譲渡希望者と取得希望者との間でチケット取引の交渉が成立した場合、通信端末２０，３０間でチケットの対価となる電子価値情報の交換がなされる（ステップＳ１０）。電子価値情報を受け取った譲渡希望者の通信端末３０では、電子価値情報に取引相手や取引額などを示す交換情報を付与した後、当該情報を交換履歴格納部３０５に格納し、交換履歴の更新を行う（ステップＳ１１）
【００４１】
一方、ステップＳ０４で格納完了通知を受信した後、取得希望者の通信端末が電波状況等の関係で一時的にオフライン状態となる場合がある。このような場合、譲渡希望者の通信端末３０から問い合わせがあっても、取得希望者がこれに応じることができないにもかかわらず、特定情報格納部１０３から当該取得希望者の特定情報が削除される結果となってしまう。
【００４２】
これに対し、図６に示すように、取得希望者の通信端末２０からは、格納完了通知を受信した後、オフライン状態からオンライン状態に切り替わる度に、照会要求情報の送信が自動的になされる（ステップＳ２１）。そうすると、照会部１０７によって特定情報の順位の照会がなされ（ステップＳ２２）、照会すべき特定情報が特定情報格納部１０３に格納されている場合には、その順位が取得希望者の通信端末２０に通知される（ステップ２３，ステップＳ２４）。また、特定情報が既に削除されている場合には、当該特定情報が存在しなかった旨が取得希望者の通信端末２０に通知され（ステップＳ２３，ステップＳ２５）、回復処理部１０８が回復要求情報の受付状態となる（ステップＳ２６）。このとき、取得希望者の通信端末２０から回復要求情報の送信がなされると（ステップＳ２７）、回復処理部１０８によって特定情報の順位の回復がなされる（ステップＳ２８）。そして、取得希望者の通信端末２０には回復通知がなされる（ステップＳ２９）。
【００４３】
以上説明したように、チケット流通仲介システム１では、取得希望者の通信端末２０からチケットの取得を希望する旨の取得希望情報を受信すると、取得希望者がチケット発行者の会員である場合には、非会員である場合と比べて有利な条件で特定情報に順位が付与される。譲渡希望者の通信端末３０からチケットの譲渡を希望する旨の譲渡希望情報を入力を受信すると、特定情報格納部１０３の中から最も高い順位が付与されている特定情報が譲渡希望者の通信端末３０に送信される。そして、譲渡希望者は、受け取った特定情報によって特定される取得希望者と交渉して、チケットの取引を行うことができる。このように、本発明に係るチケット流通仲介システム１では、取得希望者がチケット発行者の会員であるか否かといった属性に基づいて特定情報の順位付けがなされるので、取引者の事情を考慮したチケット取引を行わせることが可能となる。また、このことは、チケットの取引の一方の当事者である取得希望者を装置側で管理させることを可能とし、当該チケットを発行した主催者側では、チケットの取引に間接的に関与することもできる。
【００４４】
また、チケット流通仲介システム１では、一旦特定情報の格納が完了すると、取得希望者の通信端末２０がオフライン状態からオンライン状態に切り替わる度に、取得希望者の通信端末２０からチケット流通仲介装置１０に照会要求情報が送信される。そして、照会要求情報が示す特定情報が特定情報格納部１０３に存在しなかった場合に、取得希望者の通信端末２０から、特定情報の順位の回復を要求する旨の回復要求情報を受け付ける。この構成により、取得希望者の通信端末２０がオフライン状態であったため、譲渡希望者と連絡を取れなかったにもかかわらず取得希望者の特定情報が削除されてしまったような場合にも、取得希望者を救済することができる。したがって、通信端末２０，３０を介してオンラインでチケットの取引を行う場合の利便性を向上させることができる。
【００４５】
さらに、譲渡希望者の通信端末３０では、チケットの対価となる電子価値情報に、交換相手や交換額に関する情報を付与し、電子価値情報の交換履歴情報を交換履歴格納部３０５に格納する。このように、交換情報を履歴化することにより、電子価値の不正な使用を抑制でき、個人間でのチケット取引の安全性を担保することができる。
【００４６】
本発明は、上記実施形態に限られるものではない。上記実施形態では、特定情報の順位付けに差をつけるための属性として会員・非会員を採用しているが、例えば住所・性別といった属性を採用してもよい。取得希望者と譲渡希望者との居住地が近かったり、同性であったりする場合には、よりチケットの取引を円滑に行わせることが可能となる。
【００４７】
また、上記実施形態では、通信端末２０，３０からそれぞれ取得希望情報及び譲渡希望情報をチケット流通仲介装置１０に入力しているが、チケット流通仲介装置１０に所定の操作部を設け、取得希望者及び譲渡希望者が直接入力を行うようにし、特定情報等の出力結果を所定の表示部に表示するようにしてもよい。なお、上記実施形態では、説明の便宜上、取得希望者の通信端末２０と譲渡希望者の通信端末３０とでことなる構成要素を備えているが、この通信端末２０，３０は互いの構成要素をそれぞれ備えていることが好ましい。この場合、一台の通信端末でチケットの取得・譲渡の両方の操作を行うことができる。
【図面の簡単な説明】
【００４８】
【図１】本発明に係るチケット流通仲介システムの一実施形態を示す構成図である。
【図２】チケット主催者の会員である取得希望者における特定情報の順位付けの一例を示す図である。
【図３】チケット主催者の非会員である取得希望者における特定情報の順位付けの一例を示す図である。
【図４】交換履歴格納部３０５に格納される情報の一例を示す図である。
【図５】図１に示したチケット流通仲介システムの動作を示すフローチャートである。
【図６】特定情報の回復処理を示すフローチャートである。
【符号の説明】
【００４９】
１…チケット流通仲介システム、１０…チケット流通仲介装置、２０…取得希望者の通信端末、３０…譲渡希望者の通信端末、１０１…取得希望受信部、１０２…順位付与部、１０３…特定情報格納部、１０４…譲渡希望受信部、１０５…特定情報送信部、１０６…照会要求受信部、１０７…照会部、２０１…取得希望送信部、２０２…照会要求送信部、２０４，３０３…電子価値情報交換部、３０１…譲渡希望送信部、３０２…特定情報受信部、３０４…交換情報付与部、３０５…交換履歴格納部。
【図１】
0004606971.tif 000002
【図２】
0004606971.tif 000003
【図３】
0004606971.tif 000004
【図４】
0004606971.tif 000005
【図５】
0004606971.tif 000006
【図６】
0004606971.tif 000007